(57)【要約】【課題】伝票や書籍類の頁の紙質に関わらず、優れた滑止機能を備え、確実に複数の頁から目的とする一頁のみを捲ることができる優れた指用滑止テープを提供することを課題とする。【解決手段】可撓性を有する帯状の捲着部材（１）と、滑止機能を備えた滑止部材（２）とからなる指用滑止テープであって、前記捲着部材（１）は、指に対する捲着手段となる捲着部片（１６）（１６）を両端に形成するとともに、その一方の捲着部片（１６）における当該指との当接面となる内面にのみ、接着層（１１）を設けたものとし、滑止部材（２）は、該捲着部材（１）の外面の指先端当接部分又は外面全体に設けたことを特徴とする指用滑止テープを、課題を解決するための手段とする。【選択図】　　　　図１
2004025675.tif 000002
【特許請求の範囲】
【請求項１】
可撓性を有する帯状の捲着部材（１）と、滑止機能を備えた滑止部材（２）とからなる指用滑止テープであって、
前記捲着部材（１）は、指に対する捲着手段となる捲着部片（１６）（１６）を両端に形成するとともに、その一方の捲着部片（１６）における当該指との当接面となる内面にのみ、接着層（１１）を設けたものとし、
滑止部材（２）は、該捲着部材（１）の外面の指先端当接部分又は外面全体に設けたことを特徴とする指用滑止テープ。
【請求項２】
可撓性材料からなる帯状の捲着部材（１）と、滑止機能を備えた滑止部材（２）とからなる指用滑止テープであって、前記捲着部材（１）における指との当接面となる内面全体に、接着層（１１）を設けたものとし、滑止部材（２）は、該捲着部材（１）の外面の指先端当接部分又は全体に設けたことを特徴とする指用滑止テープ。
【請求項３】
接着層（１１）を除く内面に抗菌材を含有する層（１９）を設けたことを特徴とする請求項１記載の指用滑止テープ。
【請求項４】
捲着部材（１）は、不織布（１０）の外面に可撓性樹脂層（１８）を設けるとともに、前記不織布（１０）の内面には、抗菌材を含有する層（１９）を設けたことを特徴とする請求項１記載の指用滑止テープ。
【請求項５】
滑止部材（２）は、高さが３ｍｍ未満程度としたことを特徴とする請求項１、２、３又は４記載の指用滑止テープ。
【請求項６】
捲着部材（１）には、複数の通気孔（１４）‥（１４）を形成したことを特徴とする請求項１、２、３、４又は５記載の指用滑止テープ。
【発明の詳細な説明】
【０００１】
【発明が属する技術分野】
本発明は、特に拇指及び人差し指に装着することによって、伝票のページめくり、書籍類の頁めくり等を容易とする指用滑止テープに関するものである。
【０００２】
【従来の技術】
本出願人が先に出願した実願平９−８６５５号に開示される考案、即ち、ポリエステルフィルム層の表面に塩化ビニルの発泡塗料層を積層し、更にその上に微細な凹凸面を形成できる塩化ビニル塗料層を積層して、この積層と同時又は直後に加熱発泡させて、前記ポリエステルフィルム層の裏面に接着剤層を積層し、更にその下に剥離層を形成し、このシートを指に巻きつけられる形状に切断加工した指用滑止テープ（以下、先行技術という。）が公知である。
【０００３】
【発明が解決しようとする課題】
上記先行技術に係る考案は、耐熱性及び柔軟性を備えるポリエステルフィルムと塩化ビニルの発泡塗料層と塩化ビニルの塗料層を塗布と同時又は直後に加熱発泡させて一体化させることにより、塩化ビニルの塗料層は発泡層の影響によって塩化ビニル塗料層の表面に微細な凹凸の皺（しぼ）模様が形成され、この微細な凹凸の皺模様が塩化ビニルの粘着性を緩和し、柔軟性と滑止効果を発揮することを基本とするものである。
【０００４】
上記先行技術に係る考案は優れた柔軟性を備えるとともに、滑止効果においても効果を得ることができるものであった。しかしながら、伝票や書籍類の頁の紙質によっては、更に十分な滑止効果が必要となる場合もあった。
【０００５】
本発明は以上の事情に鑑みてなされたものであり、伝票や書籍類の頁の紙質に関わらず、優れた滑止機能を備え、確実に複数の頁から目的とする一頁のみを捲ることができる優れた指用滑止テープを提供することを課題とするものである。
【０００６】
【課題を解決するための手段】
可撓性を有する帯状の捲着部材と、滑止機能を備えた滑止部材とからなる指用滑止テープであって、前記捲着部材は、指に対する捲着手段となる捲着部片を両端に形成するとともに、その一方の捲着部片における当該指との当接面となる内面にのみ、接着層を設けたものとし、滑止部材は、該捲着部材の外面の指先端当接部分又は外面全体に設けたことを特徴とする指用滑止テープを、課題を解決するための手段とする。
【０００７】
【発明の効果】
本発明によれば、可撓性を有する帯状の捲着部材と、該捲着部材の外面の指先端当接部分又は外面全体に、滑止機能を備えた滑止部材を設けたことにより、拇指と人差し指を紙面に押さえつけて頁を捲る際に、当該拇指及び人差し指で紙面を強く押さえ込むとともに、頁に対して摩擦抵抗が大きい滑止部材が当接することから、確実に目的とする紙面を捲ることができる。
【０００８】
また、同構成によって、拇指と人差し指の夫々に装着する指用滑止テープのサイズを共通化することができ、生産コストの低減、生産効率の向上を図ることができる。
【０００９】
そして、前記捲着部材（１）は、指に対する捲着手段となる捲着部片（１６）（１６）を両端に形成するとともに、その一方の捲着部片（１６）における当該指との当接面となる内面にのみ、接着層（１１）を設けることにより、接着層の形成に必要な接着剤の量が少なくて済み、非常に低コストとすることができるとともに、簡単且つ確実に当該指用滑止テープを捲着する事ができる。
【００１０】
一方、接着層（１１）を除く捲着部材（１）における指との当接面に、抗菌機能を具備させることによって、捲着部材（１）における抗菌効果を得ることができ、長期間に亘る使用においても、衛生的な状態を確保することができる。
【００１１】
また、内面全体に接着層を設けた場合には、指用滑止テープの意図しない脱落をより確実に防止することができるとともに、接着部分が多いことから、度重なる使用によっても、接着力を確保することができる。
【００１２】
また、いずれの場合においても、装着状態においては、接着層（１１）に対して、ウレタン等の可撓性樹脂層（１８）が重合されることから、接着層（１１）の着脱による損失が少なく、当該指用滑止テープを繰り返し着脱して、使用することができる。
【００１３】
更に、前記滑止部材の厚みを３ｍｍ未満までとした場合には、頁捲り等を行う際に、指先の感覚が維持でき、効率良く頁捲りを行うことができる。
【００１４】
【発明の実施の形態及び実施例】
図１は本発明の実施例１に係る指用滑止テープの斜視図、図２は同実施例１に係る指用滑止テープの正面図、図３は同実施例１に係る指用滑止テープの背面図、図４は同実施例１に係る指用滑止テープの一部拡大断面図、図５は実施例１に係る指用滑止テープの装着状態を示す説明図、図６は同実施例１に係る指用テープの使用状態を示す参考図、図７は実施例２における指用滑止テープの背面図である。
【００１５】
本発明の実施例１に係る指用滑止テープは、主として、拇指（４ａ）及び人差し指（４ｂ）に対して捲着して使用するものであり、図１乃至図５に示すように、可撓性材料からなる帯状の捲着部材（１）と、該捲着部材（１）の外面（１２）に固着され、且つ滑止機能を具備した滑止部材とから構成されるものであり、捲着部材（１）は主として厚さ０．５ｍｍ程度の不織布からなるものであって、その輪郭は、中央部（１５）が太幅となる波形で、当該中央部（１５）が指（４）の爪（４０）を除く指先の先端に当接し、前記中央部（１５）の左右に連続して徐々に細幅となる捲着部片（１６）（１６）を形成した、所謂唇形となるものである。
【００１６】
ここで、捲着部材（１）を構成する可撓性材料は、図４に示すように、不織布（１０）をベースとして、その外面側には可撓性樹脂層（１８）としてウレタンをコーティングし、当該不織布（１０）の内面側には、抗菌材として炭素を含むバインダー樹脂層（１９）を設けた構成としている。
【００１７】
また、前記図３に示すように、捲着部材（１）の接着層（１１）は、捲着部材（１）における一方の捲着部片（１６）の内面（１７）側のみに塗布しており、通常の形態としては、接着層（１１）上から剥離紙（１３）を設けたものとしており、使用時において、該剥離紙（１３）を剥がして、指（４）に捲着して、貼付けるものである。
【００１８】
そして、当該捲着部材（１）には、炭素粉末を混入したバインダー樹脂を設けており、当該混入された炭素粉末による遠赤外線の作用を利用し、抗菌性を発揮するものである。尚、本発明においては、抗菌性を発揮する抗菌材として、炭素のみに限るものではなく、例えば、セラミックス等を用いて、遠赤外線の作用を利用するものでもよいし、また、銀、銅のように遠赤外線を利用せず、抗菌作用を有する被膜を形成するものによることもできる。
【００１９】
また、前記捲着部材（１）の中央部（１５）と捲着部片（１６）（１６）の境界近傍には、左右夫々１個ずつ通気穴（１４）‥（１４）を形成しており、当該通気穴（１４）‥（１４）によって、使用時の通気性を確保して、装着箇所が汗で蒸れることを防止するものとしている。
【００２０】
尚、本発明においては、通気性を確保する手段として、上記通気穴（１４）を設ける数量は、実施例１に限られず、また、上記通気穴（１４）（１４）を設ける以外の手段としては、不織布自体の通気性を利用することもできる。
【００２１】
そして、滑止部材（２）は、直径１３ｍｍ、厚さ０．５ｍｍの円盤状のオレフィン系合成ゴム材のフィルムを使用しており、前記捲着部材（１）の外面（１２）における中央部（１５）に固着されている。尚、本実施例においては上記のようにオレフィン系合成ゴム材を使用しており、本発明においては、滑止部材（２）は紙面をスライドできるだけの摩擦抵抗を具備するものであることが必要であるが、紙面に対して有効に反発弾性が作用する材料であればよい趣旨であり、実施例に示したオレフィン系合成ゴム以外に、例えばシリコンゴム等を使用する事ができる。即ち、紙面に対する押圧力が作用し、滑止部材の弾性変形して、紙面に対する接触面積が増加するものであれば、好適である。
【００２２】
上記本発明の実施例１に係る指用滑止テープを使用する場合には、図５に示すように、爪（４０）を除いた指先を被覆するように捲着し、当該指用滑止テープの中央部（１５）に設けた円盤状の滑止部材（２）が位置するように装着するとよい。即ち、指（４）の背側で捲着部片（１６）（１６）が重着した状態となり、接着層（１１）によって捲着部片（１６）（１６）相互が固定されることとなる。
【００２３】
このように装着することによって、図６に示すように、拇指（４ａ）と人差し指（４ｂ）を紙面に押さえつけて紙面をスライドさせ頁を捲る際には、当該紙面を強く押さえ込むこととなるとともに、頁に対して摩擦抵抗が大きい滑止部材によって十分なグリップ力が得られることで紙面をスライドさせることができることから、確実に目的とする頁を捲ることができることとなる。
【００２４】
次に、本発明の実施例２に係る指用滑止テープについて説明し、併せて図７に背面図を示す。本実施例２に係る指用滑止テープは、基本構成において抗菌材を使用していないものであり、また、捲着部材（１）における内面全体（１７）に接着層（１１）を備えたことにおいて前記実施例１と相違するものである。
【００２５】
尚、本発明においては、前記滑止部材の厚さがおよそ３ｍｍを超えると、指先の微妙な感覚が掴みづらくなり、また、意に反して滑止部材の側面に頁が干渉して、捲りづらくなる傾向が大きいことから、当該滑止部材の厚さはおよそ３ｍｍ程度までであることが好ましい。
【００２６】
また、本発明の本実施例１、２のいずれについても、前記したように、滑止部材（２）と捲着部材（１）との固着手段として、可撓性樹脂層であるウレタン樹脂層を用いているが、本発明においてはこれに限るものではなく、例えば、両面テープ等によって取付けることもできる。
【００２７】
更に、本発明において、抗菌材を有する層とは、実施例のようにバインダー樹脂内に炭素が含有された状態のみならず、独立した抗菌材の層が、バインダー樹脂層と積層状態となった層をも含む趣旨である。
【図面の簡単な説明】
【図１】本発明の実施例１に係る指用滑止テープの斜視図である。
【図２】本発明の実施例１に係る指用滑止テープの正面図である。
【図３】本発明の実施例１に係る指用滑止テープの背面図である。
【図４】本発明の実施例１に係る指用滑止テープのＡ−Ａ拡大断面図である。
【図５】本発明の実施例１に係る指用滑止テープの装着状態を示す説明図である。
【図６】本発明の実施例１に係る指用滑止テープの使用状態を示す説明図である。
【図７】本発明の実施例２に係る指用滑止テープの背面図である。
【符号の説明】
（１）　　　捲着部材
（１０）　　不織布
（１１）　　接着層
（１２）　　外面
（１３）　　剥離紙
（１４）　　通気穴
（１５）　　中央部
（１６）　　捲着部片
（１７）　　内面
（１８）　　可撓性樹脂層
（１９）　　抗菌材を含有する層
（２）　　　滑止部材
（４）　　　指
（４ａ）　　拇指
（４ｂ）　　人差し指
（４０）　　爪
（５）　　　粘着テープ
【図１】
2004025675.tif 000003
【図２】
2004025675.tif 000004
【図３】
2004025675.tif 000005
【図４】
2004025675.tif 000006
【図５】
2004025675.tif 000007
【図６】
2004025675.tif 000008
【図７】
2004025675.tif 000009